(57)【要約】【課題】移動自在な場所で楽曲を製作でき、また東洋楽曲と西洋楽曲とを随時取出し又はそれを混成することができ楽曲の多様化に対応できる楽曲生成機能を内蔵したパソコン装置を提供する。【解決手段】電源手段３はキー信号を発信して入力インターフェース手段４へ入力する。入力インターフェース手段４は楽曲データ記憶手段５に貯蔵された単位音データをＣＰＵ６に送信する。ＣＰＵ６はインタラップト信号に相応する周期で矩形波形態の音信号を生成する。ＣＰＵ６により該当の単位音データ値にセッティングされた後、発振・分周手段７の出力信号をカウントし該当時点に到達する度毎にＣＰＵ６からインタラップト信号を出力する。そしてＣＰＵ６は生成された音信号を出力インターフェース手段８に入力し、出力インターフェース手段８は波形制御手段９に音信号を入力する。波形制御手段９から出力された音信号は楽曲発生手段１０により製作又は作曲した東洋音楽及び／又は西洋音楽さらに両者を混成した音曲を発声する。【選択図】図１
0003155024.tif 000002
【実用新案登録請求の範囲】
【請求項１】
特定の単位音及びメロディーを発生するための該当のキー信号を出力する電源手段と、該電源手段に接続され該当のキー信号を処理する入力インターフェース手段と、該入力インターフェース手段からの特定の単位音データ及びメロディーの発生要求信号で貯蔵された単位音データを読み出す楽曲データ記憶手段と、前記入力インターフェース手段からの特定の単位音データ及びメロディーの発生要求信号を入力しかつインタラプト信号に相応する周期で矩形波状の音信号を生成するＣＰＵと、該ＣＰＵからの音信号を入力しかつ後段の波形制御手段に出力する出力インターフェース手段と、該出力インターフェース手段の出力側に接続されかつ出力インターフェース手段からの音信号を正弦波状の音信号に整形し、混成しかつ増幅する波形制御手段と、該波形制御手段から出力された音信号を製作された楽曲として発生する楽曲発生手段とでなることを特徴とする楽曲生成機能を内蔵したパソコン装置。
【考案の詳細な説明】
【技術分野】
【０００１】
本考案は、楽曲生成機能を内蔵したパソコン装置に関する。
【背景技術】
【０００２】
従来、この種、従来技術の例としては図２に示す特開２００６−１４５５８３号公開特許公報に開示された技術がある。これについて説明すれば、図２に於いて、測距儀１から測距儀ｎを有する測距儀部１０からの複数の出力値すなわち距離データは、ＡＤＣ部２１によってデジタル距離データに変換される。デジタル距離データはＣＰＵ部２２に入力され、メモリー部２３に記憶される。測距儀部１０の出力値が「打弦領域距離」を示すものであり、この「打弦領域」に対応する出力値がＣＰＵ部２２に入力されれば、同部はこれを「打弦」と判断して、メモリー部２３に記憶したデジタル距離データを呼び出してこれを演算処理し、電子楽器としての楽音データを生成する。上記メモリー部２３から取り出した楽音データを、ＣＰＵ部２２は音源回路部２４を用いてアナログオーディオ信号に変換しジャック端子２６に出力する。同時に音源回路部２４に含まれるパワーアンプ２５によってインピーダンス変換しスピーカ端子２７へ出力する。ジャック端子２６は例えば外部のギターアンプ等に接続するためのものである。また、ＣＰＵ部２２は、メモリー部２３から取り出した楽音データを世界標準とされるＭＩＤＩ規格に則った音源データとして出力することも可能である。
【先行技術文献】
【特許文献】
【０００３】
【特許文献１】特開２００６−１４５５８３号公開特許公報
【考案の概要】
【考案が解決しようとする課題】
【０００４】
従来の技術は叙上の構成であるので次の課題が存在した。
図２に示す従来技術に於いては楽曲がパソコン装置に内蔵されておらず移動自在な場所で
楽曲を製作できなかった。東洋楽曲と西洋楽曲とを随時取出し又はそれを混成する技術ではなく楽曲の多様化に対応できないという問題点があった。
【課題を解決するための手段】
【０００５】
本考案に係る楽曲生成機能を内蔵したパソコン装置は叙上の問題を解決すべく考案したものであり、次の構成、手段から成立する。
すなわち請求項１記載の考案によれば、特定の単位音及びメロディーを発生するための該当のキー信号を出力する電源手段と、該電源手段に接続され該当のキー信号を処理する入力インターフェース手段と、該入力インターフェース手段からの特定の単位音データ及びメロディーの発生要求信号で貯蔵された単位音データを読み出す楽曲データ記憶手段と、前記入力インターフェース手段からの特定の単位音データ及びメロディーの発生要求信号を入力しかつインタラプト信号に相応する周期で矩形波状の音信号を生成するＣＰＵと、該ＣＰＵからの音信号を入力しかつ後段の波形制御手段に出力する出力インターフェース手段と、該出力インターフェース手段の出力側に接続されかつ出力インターフェース手段からの音信号を正弦波状の音信号に整形し、混成しかつ増幅する波形制御手段と、該波形制御手段から出力された音信号を製作された楽曲として発生する楽曲発生手段とでなることを特徴とする。
【考案の効果】
【０００６】
本考案に係る楽曲生成機能を内蔵したパソコン装置は叙上の構成を有するので次の効果がある。
【０００７】
請求項１記載の考案によれば、特定の単位音及びメロディーを発生するための該当のキー信号を出力する電源手段と、該電源手段に接続され該当のキー信号を処理する入力インターフェース手段と、該入力インターフェース手段からの特定の単位音データ及びメロディーの発生要求信号で貯蔵された単位音データを読み出す楽曲データ記憶手段と、前記入力インターフェース手段からの特定の単位音データ及びメロディーの発生要求信号を入力しかつインタラプト信号に相応する周期で矩形波状の音信号を生成するＣＰＵと、該ＣＰＵからの音信号を入力しかつ後段の波形制御手段に出力する出力インターフェース手段と、該出力インターフェース手段の出力側に接続されかつ出力インターフェース手段からの音信号を正弦波状の音信号に整形し、混成しかつ増幅する波形制御手段と、該波形制御手段から出力された音信号を製作された楽曲として発生する楽曲発生手段とでなることを特徴とする楽曲生成機能を内蔵したパソコン装置を提供する。
このような構成としたので、楽曲がパソコン装置に内蔵されているので移動自在な場所で
楽曲を製作でき、また東洋楽曲と西洋楽曲とを随時取出し又はそれを混成することができ楽曲の多様化に対応できるという効果がある。また本考案に係る楽曲生成機能を内蔵したパソコン装置は演奏場にて持運び洋・和楽器の演奏することができるという効果がある。
更に本考案に係る楽曲生成機能を内蔵したパソコン装置から東洋楽曲と西洋楽曲の楽曲を外部記憶媒体に複製して販売することができるという効果がある。
【図面の簡単な説明】
【０００８】
【図１】本考案に係る楽曲生成機能を内蔵したパソコン装置に於ける実施の形態を示す構成図である。
【図２】従来の技術に於ける電子楽器による演奏方法を示す構成図である。
【考案を実施するための形態】
【０００９】
以下、本考案に係る楽曲生成機能を内蔵したパソコン装置の実施の形態について図１に基づき詳細に説明する。
図１は楽曲生成機能を内蔵したパソコン装置を示すものであって、内部構成図である。
本考案に係る楽曲生成機能を内蔵したパソコン装置Ａは図１に示すように、特定の単位音及びメロディーを発生するために該当のキー信号を出力する電源手段３を設けている。該電源手段３はキー信号を発信して入力インターフェース手段４へ入力する。そして該入力インターフェース手段４は電源手段３から受信した信号を処理する。該入力インターフェース手段４から特定の単位音及びメロディーの発生要求信号が入力すると、楽曲データ記憶手段５に貯蔵された単位音データつまり東洋楽曲データまたは西洋楽曲データを読み出してＣＰＵ６に送信する。ＣＰＵ６はインタラップト信号に相応する周期で矩形波形態の音信号を生成する。音階のような固有の単位音を発生するために音パルス発生データとしての東洋楽曲データ又は西洋楽曲データを前記楽曲データ記憶手段５により貯蔵する。
【００１０】
そして発振・分周手段７により、基準発信信号を所定周波数に分周する。前記ＣＰＵ６により該当の単位音データ値にセッティングされた後、前記発振・分周手段７の出力信号をカウントし該当時点に到達する度毎に前記ＣＰＵ６からインタラップト信号を出力する。そしてＣＰＵ６は生成された音信号を出力インターフェース手段８に入力し、該出力インターフェース手段８は出力側に接続された波形制御手段９に音信号を入力する。ここで、波形制御手段９は正弦波状の音信号に整形し、混成しかつ増幅する機能を有する。そして波形制御手段９から出力された音信号は楽曲発生手段１０により製作又は作曲した東洋音楽及び／又は西洋音楽さらに両者を混成した音曲を発声する。
【００１１】
次に、楽曲生成機能を内蔵したパソコン装置の実施形態に於ける動作等を説明する。
【００１２】
西洋楽曲データとしての単音“ド”を発生するためのキー信号が出力された場合、先ず、前記キー信号が入力インターフェース手段４を介してＣＰＵ６に入力されると、ＣＰＵ６は西洋楽曲データとしての“ド”音が有する固有の周波数を出力して音を発生するために、楽曲データ記憶手段５から西洋楽曲データとしての“ド”の音発生データを読み出して該当の単位音を出力するためのパルス出力値に設定する。
【００１３】
一方、東洋音楽の楽曲データとしては東洋音楽の基本となる五つ母音と六呂と六律の子律の本来不調和の音律を不可欠な十天干の母音要素との十二地支の子律要素でなるデータである。十天干の母音データは、宮、商、角、微、羽の五音を改良した変宮すなわち宮の低半音、変商すなわち商の低半音、変角すなわち角の低半音、変微すなわち微の低半音、変羽すなわち羽の低半音を加え、十天干の母音のデータである。十二支の律音データは陰陽に分け、奇数の確立は陽律データで律と呼ばれ、六律と総称する。偶数の各律は陰律データで呂と呼ばれ、六呂と総称する。東洋音楽の楽曲データとしての十二律は、中国や日本の伝統音楽で用いられる１２種類の標準的な高さの音データであり、三分損益法によって1オクターブ間に平均律でない半音の間隔で配されたの音データである。そして東洋楽曲としての律データは本来、音を定める竹の管であり、その長さの違いによって１２の音の高さを定めたものである。かかる東洋音楽の楽曲データを西洋楽曲データと同様な手段でＣＰＵ６に入力する。
【００１４】
一方、発振・分周手段７から出力される固有の発振周波数信号は所定比率に分周されてＣＰＵ６に供給され、ＣＰＵ６は発振・分周手段７の出力信号をカウントし、該ＣＰＵ６によりセッティングされた値に到達する度毎にＣＰＵ６にインタラップト信号を出力する。よって、ＣＰＵ６はインタラップト信号が入力する度毎に現在の音パルス出力状態をチェックし、現在の状態が低値であると高値に反転して出力し、反対に現在の状態が高値であると低値に反転して出力する。
【００１５】
次いで、既設定された音パルス出力時間が終了したかを確認して、終了されると前記ＣＰＵ６を停止させて音パルス発生ルーチンを終了する。そして出力インターフェース８から出力された音パルス信号は波形制御手段９により整形されかつ増幅された音信号は楽曲発生手段１０に出力される。また、前記音パルス信号は図示しないハードディスクドライブ装置等の大規模記憶手段に記憶し、該音パルス信号を外部記憶手段としてのＦＤ、ＣＤ−ＲＯＭ又はＵＳＢメモリ等に複製して用いることができる。
このようにパソコン装置で容易に東洋楽曲及び／又は西洋楽曲を製作でき音楽の多様化を図ることができた。
【産業上の利用可能性】
【００１６】
本考案は楽曲生成機能を内蔵したパソコン装置であって、パソコン製品販売市場に寄与すると共に該パソコン装置で製作された東洋楽曲、西洋楽曲をＦＤ等の電子媒体で取出し適用可能である。
【符号の説明】
【００１７】
３      電源手段
４      入力インターフェース手段
５      楽曲データ記憶手段
６      ＣＰＵ
７      発振・分周手段
８      出力インターフェース手段
９      波形制御手段
１０    楽曲発生手段
【図１】
0003155024.tif 000003
【図２】
0003155024.tif 000004